(57)【要約】【課題】配管接続端子が、使用時にはユニット本体の外部に露出し、不使用時にはユニット本体の内部に収納されるように設けられる医療用配管接続端子収納ユニットを提供する。【解決手段】医療用配管接続端子収納ユニット１０は、医療用ガスを流過させる配管４５の設けられるユニット本体１１と、配管４５が接続されて医療装置に医療用ガスを供給する配管接続端子１２の装着されるケーシング１４とを備える。配管接続端子１２に医療装置のガスインレットが接続されて配管接続端子１２から医療用ガスの供給される使用状態では、ケーシング１４がユニット本体１１の外部に露出され、配管接続端子１２から医療用ガスを供給しない不使用状態では、ケーシング１４がユニット本体１１の内部に収納される。したがって、不使用状態における配管接続端子１２は、たとえば患者の目にさらされることがないので、患者に対して精神的安息を与えることができる。【選択図】      図４
2004154490.tif 000002
【特許請求の範囲】
【請求項１】
医療装置に医療用ガスを供給するためのガスアウトレットである配管接続端子が設けられる医療用配管接続端子収納ユニットにおいて、
医療用ガスを流過させる配管の設けられるユニット本体と、
前記配管の接続される前記配管接続端子が装着される装着パネルを有するケーシングと、
前記ケーシングを前記ユニット本体に装着するためのすべり対偶とを含み、
前記すべり対偶は、
前記配管接続端子に医療装置のガスインレットが接続され、前記配管接続端子から医療用ガスの供給される使用状態では、前記ケーシングが前記ユニット本体の外部に露出され、
前記配管接続端子から医療用ガスを供給しない不使用状態では、前記ケーシングが前記ユニット本体の内部に収納される機構を構成することを特徴とする医療用配管接続端子収納ユニット。
【請求項２】
前記すべり対偶は、
リニアスライダであることを特徴とする請求項１記載の医療用配管接続端子収納ユニット。
【発明の詳細な説明】
【０００１】
【発明の属する技術分野】
本発明は、たとえば病室などに設置され、医療装置に医療用ガスを供給するためのガスアウトレットである配管接続端子が設けられる医療用配管接続端子収納ユニットに関する。
【０００２】
【従来の技術】
医療装置に医療用ガスを供給するガスアウトレットである配管接続端子、ナースコールジャック受け部およびナースコールマイク、電源コンセントなどの患者の医療上必要とされる各種の装置を一括してユニットにまとめた医療用配管接続端子収納ユニット（電気配線およびその接続端子、電源コンセントを含むことがあるので医療用配管配線接続端子収納ユニットと呼ばれることもある）が、各医療機関において使用されている。
【０００３】
従来、医療用配管接続端子収納ユニットのガスアウトレットは、恒常的に外部に露出した形に設けられている（たとえば、特許文献１参照）。図１１は、従来の医療用配管接続端子収納ユニット１の構成を示す正面図である。図１１に示す従来の医療用配管接続端子収納ユニット１では、ユニット枠体２の正面部分を構成するパネル３に、たとえば酸素ガス供給用アウトレット４、空気供給用アウトレット５および真空吸引用アウトレット６が設けられている。
【０００４】
このような従来の医療用配管接続端子収納ユニット１は、たとえば病室における患者の頭部側の壁面に設置されるので、常に患者ならびに介護人および見舞客に目視されることになる。医療装置に直結される部分である配管接続端子４，５，６が、恒常的に目視されると、患者等に重病であるとの意識を抱かせたり、医療機関における生活であることをいやがうえにも意識させることになる。このようなことを避けるために、近年、医療機関においても、患者を治療しているとき以外では、できる限り家庭における日常生活に近い環境を整えることによって、特に患者に精神的な安息を与えることが求められている。
【０００５】
もう一つの従来技術には、医療用ガスを供給する配管接続端子が、収納ユニット（ベッドウォール装置）のトラックに移動可能なように設けられるものがある（たとえば、特許文献２参照）。しかしながら、前述のもう一つの従来技術において、配管接続端子がトラック上で移動可能に設けられる目的は、医療従事者が、たとえば患者の居るベッド周辺を移動しながら治療する際、医療装置に接続される配管接続用端子が、医療従事者および医療従事者の操作する医療装置の移動に追随して治療に支障の生じないようにすることにある。したがって、配管接続端子は、収納ユニットのトラック上を移動可能であるけれども、恒常的に露出されたままであり、不使用時に目視できない構成にはなされていないので、前述の医療機関において家庭における日常生活に近い環境を整えるという要求を満足するものではない。
【０００６】
【特許文献１】
実公平７−５６００８号公報
【特許文献２】
特表２００２−５２００９２号公報
【０００７】
【発明が解決しようとする課題】
本発明の目的は、配管接続端子が、使用時にはユニット本体の外部に露出し、不使用時にはユニット本体の内部に収納されて目視されることのないように設けられる医療用配管接続端子収納ユニットを提供することである。
【０００８】
【課題を解決するための手段】
本発明は、医療装置に医療用ガスを供給するためのガスアウトレットである配管接続端子が設けられる医療用配管接続端子収納ユニットにおいて、
医療用ガスを流過させる配管の設けられるユニット本体と、
前記配管の接続される前記配管接続端子が装着される装着パネルを有するケーシングと、
前記ケーシングを前記ユニット本体に装着するためのすべり対偶とを含み、
前記すべり対偶は、
前記配管接続端子に医療装置のガスインレットが接続され、前記配管接続端子から医療用ガスの供給される使用状態では、前記ケーシングが前記ユニット本体の外部に露出され、
前記配管接続端子から医療用ガスを供給しない不使用状態では、前記ケーシングが前記ユニット本体の内部に収納される機構を構成することを特徴とする医療用配管接続端子収納ユニットである。
【０００９】
本発明に従えば、医療用配管接続端子収納ユニット（以後、収納ユニットと略称する）は、医療用ガスを流過させる配管の設けられるユニット本体と、配管の接続される配管接続端子が装着される装着パネルを有するケーシングと、ケーシングをユニット本体に装着するためのすべり対偶とを含み、すべり対偶が、配管接続端子から医療用ガスの供給される使用状態では、ケーシングがユニット本体の外部に露出され、配管接続端子から医療用ガスを供給しない不使用状態では、ケーシングがユニット本体の内部に収納される機構を構成する。
【００１０】
前述のように構成される収納ユニットのユニット本体に、その内部を透過して見ることのできない素材を用いることによって、不使用時において内部に収納されるケーシングが目視されないようにできる。このことによって、患者ならびに介護人および見舞客は、医療ガス供給用の配管接続端子を、真に治療に必要な使用時に目視するだけですみ、治療以外のときには目視することがなくなるので、医療環境であることを意識することが少なくなり、特に患者に対して精神的な安息をもたらすことができる。
【００１１】
また本発明は、前記すべり対偶は、リニアスライダであることを特徴とする。本発明に従えば、すべり対偶にはリニアスライダいわゆるスライドレールが好適に用いられる。スライドレールは、容易に入手可能なすべり対偶であり、また高い動作信頼性を有する。したがって、スライドレールを介してケーシングをユニット本体に装着することによって、使用または不使用の状態に応じ、ユニット本体の内部に対してケーシングの出入可能な構成を容易に実現することができる。
【００１２】
【発明の実施の形態】
図１は本発明の実施の一形態である収納ユニット１０の外観正面図および外観側面図であり、図２は図１に示す収納ユニット１０におけるケーシング１４の使用状態および第１扉部材２１、第２扉部材２７ａ，２７ｂ、第３扉部材３０が開いた状態を示す外観正面図であり、図３は図１に示す収納ユニット１０の構成を簡略化して示す正面図および側面図である。
【００１３】
収納ユニット１０は、後述する医療用ガスを流過させる配管の設けられるユニット本体１１と、医療装置に医療用ガスを供給するためのガスアウトレットである配管接続端子１２であって、配管の端部に接続される配管接続端子１２が装着される装着パネル１３を有するケーシング１４と、生活用品などを収納することのできる第１および第２収納棚１５，１６とを含んで構成される。この収納ユニット１０は、たとえば医療機関における病室のベッド１７の近傍に設置されて使用される。
【００１４】
ユニット本体１１は、側面から見た形状がＬ字状に形成され、第１収納棚１５は、ユニット本体１１のＬ字状の上方に突出した部分に形成される凹所に設けられる。第１収納棚１５は、内部空間を有する直方体の箱状に形成され、その内部空間１８には、第１および第２棚板部材１９，２０が設けられ、内部空間１８を上下に３分割し、内部空間１８を収納に利用する利便性を図っている。また第１収納棚１５には、その前面に第１扉部材２１が開閉自在に装着される。この第１収納棚１５は、たとえばその背板をユニット本体１１に対してねじ止めするなどして装着される。
【００１５】
第２収納棚１６は、ユニット本体１１の下方に連なるようにして設けられる。すなわちユニット本体１１は、第２収納棚１６の上に乗載されるようにして設けられる。
【００１６】
第２収納棚１６は、内部空間を有する直方体の箱状に形成され、その内部空間が前面側と背面側とにさらに２分割されている。前面側には、内部空間を有する直方体の箱状に形成され、かつその奥行き寸法がユニット本体１１の奥行き寸法よりも小さくなるように形成される収納小棚２２が設けられる。収納小棚２２の上部には、２個の引出し２３ａ，２３ｂが設けられ、収納小棚２２の前記引出し２３ａ，２３ｂを除く内部空間２４に第３および第４棚板部材２５，２６が設けられて、内部空間２４を上下に３分割し、内部空間２４を収納に利用する利便性を図っている。また収納小棚２２には、その前面に第２扉部材２７ａ，２７ｂが、いわゆる観音開きになるように開閉自在に装着される。
【００１７】
第２収納棚１６の背面側において、収納小棚２２の背板と第２収納棚１６の背板との間に形成される内部空間２８には、閉じた状態の第２扉部材２７ａ，２７ｂと平行方向、すなわち図２の紙面における左右方向に進退自在にフック部材２９を設け、このフック部材２９にたとえば洋服などを掛けて内部空間２８に収納することができる。また第２収納棚１６の内部空間２８が形成される部分の右側面部には、第３扉部材３０が開閉自在に装着される。
【００１８】
これらのユニット本体１１、第１および第２収納棚１５，１６の素材には、たとえば合板などの木材が用いられてもよく、またステンレス鋼板などの金属が用いられてもよく、またプラスチックなどの樹脂が用いられてもよい。さらに部材毎に木材、金属、樹脂が適宜選択されて併用されてもよい。
【００１９】
以下ユニット本体１１について詳細に説明する。図４はユニット本体１１の構成を簡略化して示す正面図であり、図５は図４に示すユニット本体１１の右側面図であり、図６は図４に示すユニット本体１１におけるケーシング１４の使用状態を示す正面図であり、図７は図６の切断面線ＶＩＩ−ＶＩＩから見た図である。
【００２０】
ユニット本体１１は、直方体状に形成される基底収納部３１と、基底収納部３１の背面側において基底収納部３１から垂直に立上るように形成される立上収納部３２とを含む構成である。立上収納部３２の奥行寸法Ｌ１は、基底収納部３１の奥行寸法Ｌ２よりも小さくなるように形成される。したがって、基底収納部３１の上方には空間が形成され、この空間に前述の第１収納棚１５が設けられる。
【００２１】
立上収納部３２は、幅広の溝状に形成され、上下方向に延びて設けられる第１および第２側板部材３３，３４と平行方向に延びて背板３７に設けられる第１および第２区画部材３５，３６によって、第１〜第３溝部３８，３９，４０に区分される。第２および第３溝部３９，４０には、後述する電源コンセント８９、ナースコール装置９１などに電力を供給するための電気配線および通信線が施される。なおここでは、電気配線および通信線の図示を省略した。
【００２２】
第１溝部３８には、医療用ガスを医療装置に供給するための配管が施される。本実施の形態では、酸素ガス供給用配管４１、空気供給用配管４２および真空吸引用配管４３の３系統の配管を設けている。なお配管を通じて供給される医療ガスは、前述の３種類に限定されるものではなく、必要とされる医療内容に応じて適宜選択される医療ガスに対応する配管が施されてよい。前述の３系統の配管４１，４２，４３は、同一に構成されるので、以下酸素ガス供給用配管４１について説明し、他の２つの配管４２，４３については説明を省略する。
【００２３】
第１溝部３８には、図示を省略するガス供給源からの配管に接続され、ガスの流通と遮断との動作を切換える仕切弁４４が設けられる。なお仕切弁４４に接続されるガス供給源からの配管は、銅管などを用いる固定配管として施されてよい。この仕切弁４４は、弁を開放してガスを流通可能な状態で第１溝部３８を構成する背板３７に固設される。
【００２４】
仕切弁４４の前記ガス供給源からの配管が接続される側の反対側には、可撓性を有するゴムホース４５の一端部が接続される。図８は、ゴムホース４５の構成を示す部分断面図である。ゴムホース４５は、より詳細には可撓性素材からなるゴムホース本体４６と、管継手４７と、ホースバンド４８とを含む。ゴムホース本体４６は、その素材ゴムが特に限定されるものではなく、ウレタンゴムやブタジエンゴムなど、後述するケーシング１４の移動に伴って移動することができる程度の可撓性を備えるものであればよい。
【００２５】
管継手４７は、内周面にめねじ部が形成されて前述の仕切弁４４にねじ止めされる袋ナット４９と、袋ナット４９のめねじ部の形成される側から挿入され、袋ナット４９から突出する端部付近がゴムホース本体４６に挿入されるソケット５０と、ソケット５０の袋ナット４９内に存する側に設けられるＯ（オー）リング５１とを含む。ゴムホース本体４６にソケット５０を挿入後、ソケット５０の挿入された部分をゴムホース本体４６の外周からホースバンド４８で締付けることによって、ガスを漏洩することなく管継手４７が、ゴムホース本体４６に接続される。なおゴムホース４５の仕切弁４４に接続される一端部と、酸素ガス供給用配管接続端子１２ａに接続される他端部とは、同一に構成される。ゴムホース４５の一端部は、仕切弁４４に形成されるおねじ部に袋ナット４９を螺合させることによって接続される。なおホースバンド４８の代わりに金属円環をかしめることにより、管継手４７とゴムホース本体４６とを接続してもよい。
【００２６】
再び図４〜図７に戻って、ゴムホース４５の接続される仕切弁４４は、弁を開放しガスが流通可能な状態のまま、前記立上収納部３２の前面側の凹所に設けられる第１収納棚１５によって覆われる。したがって、ゴムホース４５を交換するなどの部品交換の場合にのみ、仕切弁４４は、第１収納棚１５をユニット本体１１から離脱させて操作可能な状態にしたうえで閉じられる。
【００２７】
基底収納部３１は、天板部材６１と、天板部材６１に対向して設けられる底板部材６２と、天板部材６１と底板部材６２とをそれぞれ連接する第１および第２側壁部材６３，６４と、立上収納部３２の背板３７に連なって設けられ、天板部材６１、底板部材６２、第１および第２側壁部材６３，６４とを蓋するように装着される背板６５とを含んで構成される。なお基底収納部３１の第１側壁部材６３は、立上収納部３２の第１側板部材３３に連なって設けられ、基底収納部３１の第２側壁部材６４は、立上収納部３２の第２側板部材３４に連なって設けられる。
【００２８】
基底収納部３１の前面側には、基底収納部３１の奥行寸法Ｌ２よりも短い奥行寸法Ｌ４と、基底収納部３１の幅寸法Ｌ３よりも短い幅寸法Ｌ５とを有する箱状に形成される第３収納棚６６が設けられる。第３収納棚６６は、基底収納部３１の側面を構成する第１側壁部材６３側、すなわちユニット本体１１の正面に向って左方に寄せて設けられ、第１側壁部材６３が第３収納棚６６の正面に向って左側の左側壁部材に兼用される。また天板部材６１と底板部材６２とが、第３収納棚６６の天板と底板とに兼用される。
【００２９】
第３収納棚６６を構成する背板６７は、天板部材６１の内面側に幅方向に延びて設けられる第１横木部材６８と、底板部材６２の内面側に幅方向に延びて設けられる第２横木部材６９とに装着され、第３収納棚６６を構成し正面に向って右側に設けられる右側壁部材７０は、第１および第２横木部材６８，６９の端面に装着される。以上のように、天板部材６１、底板部材６２、背板６７、第１側壁部材６３が兼ねる左側壁部材および右側壁部材７０によって、物品を収納することのできる第３収納棚６６の内部空間７４が形成される。また第３収納棚６６の前面には、第４扉部材７３が開閉自在に設けられる。
【００３０】
第３収納棚６６は、基底収納部３１に対して前述のように設けられるので、基底収納部３１の背板６５と、第３収納棚６６の背板６７との間には、第１空間７１が形成され、第３収納棚６６の右側壁部材７０と、基底収納部３１の第１側壁部材６３に対向して設けられる第２側壁部材６４との間には、第２空間７２が形成される。第２側壁部材６４には、第１空間７１をユニット本体１１の外部に連通させる長方形状の開口部７５が形成される。
【００３１】
基底収納部３１の第１空間７１内にはケーシング１４が設けられ、ケーシング１４は、すべり対偶の１種であるリニアスライダいわゆるスライドレール７６を介して基底収納部３１の背板６５に装着される。ケーシング１４は、外観形状が、略直方体形状を有し、配管接続端子１２ａ，１２ｂ，１２ｃが装着される前面および後面パネル７７，７８からなる装着パネル１３と、前面パネル７７と後面パネル７８とを天井部および底部において連接する第１および第２連接部材７９，８０とを含んで構成される。したがって、本実施の形態では、ケーシング１４は、前述の外観形状が略直方体であり、かつ左右部分に開口部を有する略角筒状に形成される。このとき、ケーシング１４の長手方向に垂直な方向の断面寸法は、前述の第２側壁部材６４に形成される開口部７５を通過可能な大きさに形成される。またケーシング１４は、その長手方向の長さＬ６がユニット本体１１の幅方向の長さＬ３よりも小さくなるように形成される。なおケーシングの形状は、前述の角筒状に限定されるものではなく、ゴムホース４５の挿通部分となる開口部を形成したうえで左右部分も封止するように構成されてもよい。
【００３２】
ケーシング１４を基底収納部３１の背板６５に装着するスライドレール７６は、アウターレール８１と、インナーレール８２と、アウターレール８１とインナーレール８２との間に介在する中間レール８３とを含む。スライドレール７６では、アウターレール８１と中間レール８３との間、およびインナーレール８２と中間レール８３との間に、たとえばボールベアリングが設けられるように構成されるので、アウターレール８１とインナーレール８２とが、中間レール８３を介して互いに他を案内部材として進退自在に直線移動することが可能である。
【００３３】
本実施の形態では、アウターレール８１が、基底収納部３１の背板６５に固設され、インナーレール８２は、ケーシング１４の後面パネル７８に固設されるので、ケーシング１４が、スライドレールの延びる方向、すなわち収納ユニット１０の幅方向に移動可能に構成される。また後面パネル７８の正面に向って右側の端部には、第２側壁部材６４に形成される開口部７５の寸法に整合し、開口部７５に嵌合することのできる蓋部材８５が装着され、蓋部材８５には、外面側に把手８６が設けられ、操作者が把手８６を把持してプッシュ／プル動作をすることによって、ケーシング１４は、スライドレール７６に案内されて、基底収納部３１の第１空間７１に対して出入自在に移動をすることが可能になる。
【００３４】
装着パネル１３である前面および後面パネル７７，７８に固設される配管接続端子１２ａ，１２ｂ，１２ｃには、前述のゴムホース４５の他端部に設けられる管継手４７に螺合できるおねじ部の形成された継手金具８４が予めそれぞれ設けられており、酸素ガス、空気および真空吸引に対応するゴムホース４５の他端部がそれぞれ接続される。このようにゴムホース４５の他端部が、配管接続端子１２に接続されて配管接続端子１２から医療装置へのガス供給が可能な状態になる。
【００３５】
このことによって、装着パネル１３に固設される配管接続端子１２に医療装置のガスインレットが接続され、配管接続端子１２から医療用ガスの供給される使用状態では、ケーシング１４を、ユニット本体１１を構成する基底収納部３１の第１空間７１の外部へ引出して露出させることができ、配管接続端子１２から医療用ガスを供給しない不使用状態では、第１空間７１の内部に収納されるようにすることができる。
【００３６】
本実施の形態では、ケーシング１４が、基底収納部３１の第１空間７１に対して出入されるとき、配管接続端子１２に接続されるゴムホース４５が、ケーシング１４の移動に円滑に追随することができるように、またケーシング１４に対する負荷が軽減されるように、基底収納部３１の背板６５に回転自在に軸支される第１および第２ローラ８７，８８を設け、ゴムホース４５が、第１および第２ローラ８７，８８を周回するように配管される。
【００３７】
また、ゴムホース４５の内部にガスを流したときに、ガスの圧力によってゴムホース４５が広がろうとする反発力を押えるために、バランサー５５を設けてもよい。バランサー５５は、ウェイト５６とウェイト５６の移動を案内するためのレール５７とを含んで構成される。なおゴムホース４５の反発力を押える手段は、バランサー５５に限定されるものではなく、たとえばばね部材などを利用してもよい。
【００３８】
さらに、基底収納部３１の第２側壁部材６４には、１個または複数個の電源コンセント８９（本実施の形態では４つ）を備えるコンセントパネル９０、およびナースコール押ボタン、ナースコールマイク、スピーカなどを備えるナースコール装置９１が、ユニット本体１１の外方から操作可能なように設けられる。電源コンセント８９およびナースコール装置９１への電気配線と通信線とは、前述の立上収納部３２に形成される第２および第３溝部３９，４０ならびに基底収納部３１に形成される第２空間７２を通じて施され、電源コンセント８９およびナースコール装置９１が動作可能な状態に設定される。
【００３９】
図９は、本発明の実施の第２の形態である収納ユニット９５の外観正面図である。本実施の形態の収納ユニット９５は、実施の第１形態の収納ユニット１０に類似し、対応する部分については同一の参照符号を付して説明を省略する。収納ユニット９５において注目すべきは、ケーシング１４のユニット本体１１から引出される方向が、ユニット本体１１の正面に向って左側の方向、すなわち実施の第１形態におけるケーシング１４の引出方向と逆の方向になるように構成されることである。このように実施の第１形態の収納ユニット１０と本実施の形態の収納ユニット９５とを有することによって、たとえば病室のベッドに対する相対的な設置場所が左右いずれであっても対応することが可能になる。
【００４０】
図１０は、本発明の実施の第３の形態である収納ユニット９６の外観正面図および外観側面図である。本実施の形態の収納ユニット９６は、実施の第１形態の収納ユニット１０に類似し、対応する部分については同一の参照符号を付して説明を省略する。収納ユニット９６は、第２収納棚１６の後面側に形成される内部空間２８に第５および第６棚板部材９７，９８を設け、前記内部空間２８を書籍９９やアルバム１００などの収納空間として利用する構成にされる。また前記内部空間２８を閉じる扉部材と、第３収納棚６６の前面を閉じる扉部材とが設けられず、第２収納棚１６の引出し１０１が１個に集約されている。
【００４１】
本発明の収納ユニットは、前述したようなケーシングの引出方向が左右方向にのみ限定されるものではなく、上下方向に引出されてもよく、また第１〜第３収納棚１５，１６，６６の構成も収納物品の種類に応じた種々の変形タイプを含んでよい。
【００４２】
以上本実施の形態では、すべり対偶は、リニアスライダであるスライドレール７６であるけれども、これに限定されることなく、たとえば案内溝部材と案内溝部材の溝に係合される係合突起とで構成されてもよい。ユニット本体１１に案内溝部材が装着され、ケーシング１４に係合突起が形成され、係合突起が案内溝部材に対して摺動すようにして、ケーシング１４が基底収納部３１の第１空間７１に出入されてもよい。また医療ガスを流過させる配管は、ゴムホース４５であるけれども、これに限定されることなく、可撓性を有する素材からなる管であればよく、たとえばステンレス鋼管にコルゲート加工の施されたフレキシブルパイプなどその他の配管素材が用いられてもよい。
【００４３】
【発明の効果】
本発明によれば、収納ユニットは、医療用ガスを流過させる配管の設けられるユニット本体と、配管の接続される配管接続端子が装着される装着パネルを有するケーシングと、ケーシングをユニット本体に装着するためのすべり対偶とを含み、すべり対偶が、配管接続端子から医療用ガスの供給される使用状態では、ケーシングがユニット本体の外部に露出され、配管接続端子から医療用ガスを供給しない不使用状態では、ケーシングがユニット本体の内部に収納される機構を構成する。
【００４４】
前述のように構成される収納ユニットのユニット本体に、その内部を透過して見ることのできない素材を用いることによって、不使用時において内部に収納されるケーシングが目視されないようにできる。このことによって、患者ならびに介護人および見舞客は、医療ガス供給用の配管接続端子を、真に治療に必要な使用時に目視するだけですみ、治療以外のときには目視することがなくなるので、医療環境であることを意識することが少なくなり、特に患者に対して精神的な安息をもたらすことができる。
【００４５】
また本発明によれば、すべり対偶にはリニアスライダいわゆるスライドレールが好適に用いられる。スライドレールは、容易に入手可能なすべり対偶であり、また高い動作信頼性を有する。したがって、スライドレールを介してケーシングをユニット本体に装着することによって、使用または不使用の状態に応じ、ユニット本体内部に対してケーシングの出入可能な構成を容易に実現することができる。
【図面の簡単な説明】
【図１】本発明の実施の一形態である収納ユニット１０の外観正面図および外観側面図である。
【図２】図１に示す収納ユニット１０におけるケーシング１４の使用状態および第１扉部材２１、第２扉部材２７ａ，２７ｂ、第３扉部材３０が開いた状態を示す外観正面図である。
【図３】図１に示す収納ユニット１０の構成を簡略化して示す正面図および側面図である。
【図４】図４はユニット本体１１の構成を簡略化して示す正面図である。
【図５】図４に示すユニット本体１１の右側面図である。
【図６】図４に示すユニット本体１１におけるケーシング１４の使用状態を示す正面図である。
【図７】図６の切断面線ＶＩＩ−ＶＩＩから見た図である。
【図８】ゴムホース４５の構成を示す部分断面図である。
【図９】本発明の実施の第２の形態である収納ユニット９５の外観正面図である。
【図１０】本発明の実施の第３の形態である収納ユニット９６の外観正面図および外観側面図である。
【図１１】従来の医療用配管接続端子収納ユニット１の構成を示す正面図である。
【符号の説明】
１０，９５，９６  医療用配管接続端子収納ユニット
１１  ユニット本体
１２  配管接続端子
１３  装着パネル
１４  ケーシング
１５  第１収納棚
１６  第２収納棚
３１  基底収納部
３２  立上収納部
４４  仕切弁
４５  ゴムホース
６６  第３収納棚
７１  第１空間
７２  第２空間
７６  スライドレール
８９  電源コンセント
９１  ナースコール装置
【図１】
2004154490.tif 000003
【図２】
2004154490.tif 000004
【図３】
2004154490.tif 000005
【図４】
2004154490.tif 000006
【図５】
2004154490.tif 000007
【図６】
2004154490.tif 000008
【図７】
2004154490.tif 000009
【図８】
2004154490.tif 000010
【図９】
2004154490.tif 000011
【図１０】
2004154490.tif 000012
【図１１】
2004154490.tif 000013